(57)【要約】【課題】戸建住宅の架構に作用する地震力や強風力を効果的に吸収して大きな制振能力を得ることのできる戸建住宅用制振装置を提供する。【解決手段】プレート状に成形された粘弾性体２０ａ〜２０ｄと板状剛性部材２１ａ〜２１ｅとを交互に重合すると共に重合する表面同士を接着して形成された粘弾性ダンパー１５と、粘弾性ダンパー１５の両端部を戸建住宅の架構を補強する補強部材に連結する二つのダンパー連結具とを備えてなり、ダンパー連結具が板状剛性部材２１ａ〜２１ｅの一端部に形成された連結部２１１と嵌合する複数の連結溝２２を有する戸建住宅用制振装置において、連結部２１１を板状剛性部材２１ａ〜２１ｅの両面から突出させて板状剛性部材２１ａ〜２１ｅの一端部に形成した。【選択図】図３
2011038312.tif 000002
【特許請求の範囲】
【請求項１】
戸建住宅の土台上に立設された二本の柱の間に前記戸建住宅の架構を補強する補強部材を介して架設される粘弾性ダンパーと、該粘弾性ダンパーの両端部のうち一方の端部を前記二本の柱のうち一方の柱と前記土台の上方に横架された横架材との接合部近傍から斜め下方に延出する補強部材の端部に連結する第１のダンパー連結具と、前記粘弾性ダンパーの両端部のうち他方の端部を前記二本の柱のうち他方の柱と前記土台との接合部近傍から斜め上方に延出する補強部材の端部に連結する第２のダンパー連結具とを備えてなり、前記粘弾性ダンパーがプレート状に成形された複数の粘弾性体と板状剛性部材とを交互に重合すると共に重合する表面同士を接着して形成され、かつ前記板状剛性部材が前記粘弾性体と接着する薄板部を有するとともに、前記第１のダンパー連結具と前記第２のダンパー連結具が前記板状剛性部材の端部に形成された連結部と嵌合する複数の連結溝を有する戸建住宅用制振装置において、
前記連結部が前記板状剛性部材の両面から突出するように前記連結溝の深さ方向に対して左右対称に形成されていることを特徴とする戸建住宅用制振装置。
【請求項２】
前記板状剛性部材が前記薄板部より厚さの厚い厚板部を前記薄板部と前記連結部との間に有することを特徴とする請求項１記載の戸建住宅用制振装置。
【請求項３】
前記板状剛性部材が前記粘弾性体の端面と対向するテーパ部を前記薄板部と前記厚板部との間に有することを特徴とする請求項１または２記載の戸建住宅用制振装置。
【請求項４】
前記連結溝の長手方向に沿って前記連結溝の底面中央部に形成されたピン係合凹部と該ピン係合凹部に対向して前記連結部に形成されたピン係合溝との間にガタツキ防止ピンを圧入して前記連結部を前記連結溝の底面から離間する方向に押圧したことを特徴とする請求項１〜３のいずれか一項記載の戸建住宅用制振装置。
【発明の詳細な説明】
【技術分野】
【０００１】
本発明は、木造戸建住宅等に用いられる戸建住宅用制振装置に関する。
【背景技術】
【０００２】
在来工法で築造される木造戸建住宅は、２×４工法やプレハブ工法で築造されるものと比較して地震力や強風力に対する耐力が弱いとされている。そこで、地震力や強風力に対する木造戸建住宅の耐力を向上させる技術として、木造戸建住宅の架構を補強する筋交の途中に制振ダンパーを組み込んで地震力や強風力に対する木造戸建住宅の向上させる技術が特許文献１に開示されている。
【０００３】
しかし、特許文献１に開示されたものは、筋交の中央部分で片面同士が互いに対向する一対の木製板状剛性部材と、これら木製板状剛性部材の相対向する片面に両面が接着された粘弾性体とで制振ダンパーが構成されているため、大きな制振能力を得るためには、幅の広い板状剛性部材を用いて板状剛性部材と粘弾性体との接着面積を大きくする必要がある。このため、大きな制振能力を得ようとすると制振ダンパーが大型化し、筋交に組み込むことが難しくなる。
【０００４】
そこで、戸建住宅の架構に組み込まれる制振装置として、図１０に示すものが提案されている（特願２００８−１２３９９６号明細書参照）。この制振装置は戸建住宅の土台１１上に立設された柱１２と柱１３との間に筋交等の補強部材１６，１７を介して架設される粘弾性ダンパー１５と、この粘弾性ダンパー１５の両端部のうち一方の端部を土台１１の上方に横架された梁等の横架材１４と柱１２との接合部近傍から斜め下方に延出する補強部材１６の端部に連結する第１のダンパー連結具１８と、粘弾性ダンパー１５の他方の端部を土台１１と柱１３との接合部近傍から斜め上方に延出する補強部材１７の端部に連結する第２のダンパー連結具１９とを備えてなるものであり、粘弾性ダンパー１５は、図１１に示すように、プレート状に成形された粘弾性体２０ａ，２０ｂ，２０ｃと板状剛性部材２１ａ，２１ｂ，２１ｃ，２１ｄとを交互に重合すると共に重合する表面同士を接着して形成されている。そして、第１のダンパー連結具１８と第２のダンパー連結具１９には、板状剛性部材２１ａ〜２１ｄの一端部に形成された連結部２１１と嵌合する複数の連結溝２２が形成されている。
【先行技術文献】
【特許文献】
【０００５】
【特許文献１】特開２０００−１１０３９９号公報（図１１）
【発明の概要】
【発明が解決しようとする課題】
【０００６】
図１０に示した戸建住宅用制振装置によると、粘弾性ダンパー１５がプレート状に成形された粘弾性体２０ａ〜２０ｃと板状剛性部材２１ａ〜２１ｄとを交互に重合すると共に重合する表面同士を接着して形成されているため、ダンパーの大型化を招くことなく大きな制振能力を得ることができる。しかしながら、板状剛性部材２１ａ〜２１ｄの端部に形成された連結部２１１が連結溝２２の深さ方向に対して左右非対称に形成されているため、補強部材１６，１７の長手方向に粘弾性ダンパー１５を圧縮する外力が第１のダンパー連結具１８や第２のダンパー連結具１９を介して連結部２１１に作用すると、板状剛性部材２１ａ〜２１ｄが弓形に変形する。これにより、粘弾性ダンパー１５の振動吸収能力が低下するため、図１０及び図１１に示した制振装置では、戸建住宅の架構に作用する地震力や強風力を効果的に吸収して大きな制振能力を得ることが難しいという問題があった。
【０００７】
本発明は上述した問題点に鑑みてなされたものであり、戸建住宅の架構に作用する地震力や強風力を効果的に吸収して大きな制振能力を得ることのできる戸建住宅用制振装置を提供することを目的とするものである。
【課題を解決するための手段】
【０００８】
上記課題を解決するために、請求項１の発明は、戸建住宅の土台上に立設された二本の柱の間に前記戸建住宅の架構を補強する補強部材を介して架設される粘弾性ダンパーと、該粘弾性ダンパーの両端部のうち一方の端部を前記二本の柱のうち一方の柱と前記土台の上方に横架された横架材との接合部近傍から斜め下方に延出する補強部材の端部に連結する第１のダンパー連結具と、前記粘弾性ダンパーの両端部のうち他方の端部を前記二本の柱のうち他方の柱と前記土台との接合部近傍から斜め上方に延出する補強部材の端部に連結する第２のダンパー連結具とを備えてなり、前記粘弾性ダンパーがプレート状に成形された複数の粘弾性体と板状剛性部材とを交互に重合すると共に重合する表面同士を接着して形成され、かつ前記板状剛性部材が前記粘弾性体と接着する薄板部を有するとともに、前記第１のダンパー連結具と前記第２のダンパー連結具が前記板状剛性部材の端部に形成された連結部と嵌合する複数の連結溝を有する戸建住宅用制振装置において、前記連結部が前記板状剛性部材の両面から突出するように前記連結溝の深さ方向に対して左右対称に形成されていることを特徴とするものである。
【０００９】
請求項２の発明は、請求項１記載の戸建住宅用制振装置において、前記板状剛性部材が前記薄板部より厚さの厚い厚板部を前記薄板部と前記連結部との間に有することを特徴とするものである。
請求項３の発明は、請求項１または２記載の戸建住宅用制振装置において、前記板状剛性部材が前記粘弾性体の端面と対向するテーパ部を前記薄板部と前記厚板部との間に有することを特徴とするものである。
【００１０】
請求項４の発明は、請求項１〜３のいずれか一項記載の戸建住宅用制振装置において、前記連結溝の長手方向に沿って前記連結溝の底面中央部に形成されたピン係合凹部と該ピン係合凹部に対向して前記連結部に形成されたピン係合溝との間にガタツキ防止ピンを圧入して前記連結部を前記連結溝の底面から離間する方向に押圧したことを特徴とするものである。
【発明の効果】
【００１１】
請求項１の発明に係る戸建住宅用制振装置によると、第１のダンパー連結具と第２のダンパー連結具の連結溝に嵌合する板状剛性部材の連結部を板状剛性部材の両面から突出するように連結溝の深さ方向に対して左右対称に形成したことで、補強部材の長手方向に粘弾性ダンパーを圧縮する外力が第１のダンパー連結具や第２のダンパー連結具を介して連結部に作用しても板状剛性部材が弓形に変形し難くなる。これにより、板状剛性部材が弓形に変形することによって粘弾性ダンパーの振動吸収能力が低下することを防止できるので、戸建住宅の架構に作用する地震力や強風力を効果的に吸収して大きな制振能力を得ることができる。また、板状剛性部材の連結部を連結溝の深さ方向に対して左右対称に形成したことで、補強部材に作用する圧縮方向の地震力や強風力が第１のダンパー連結具や第２のダンパー連結具を介して板状剛性部材の連結部に左右均等に作用し、これにより、板状剛性部材が面外方向に変形し難くなるので、板状剛性部材が面外方向に変形することによって粘弾性ダンパーの振動吸収能力が低下することを防止することができる。
【００１２】
請求項２の発明に係る戸建住宅用制振装置によると、板状剛性部材の連結部と薄板部との間に薄板部より厚さの厚い厚板部を形成したことで、補強部材の長手方向に粘弾性ダンパーを圧縮する外力が第１のダンパー連結具や第２のダンパー連結具を介して連結部に作用しても板状剛性部材が弓形により変形し難くなる。したがって、戸建住宅の架構に作用する地震力や強風力を効果的に吸収してより大きな制振能力を得ることができる。また、連結部と薄板部との間に形成された厚板部によって板状剛性部材の剛性が増大し、これにより、粘弾性ダンパーを補強部材の長手方向に圧縮する方向の地震力や強風力が補強部材を介して第１のダンパー連結具や第２のダンパー連結具に加わっても板状剛性部材が面外方向に変形し難くなるため、戸建住宅の架構に作用する地震力や強風力を効果的に吸収してより大きな制振能力を得ることができる。
【００１３】
請求項３の発明に係る戸建住宅用制振装置によると、板状剛性部材の薄板部との厚板部との間に粘弾性体の端面と対向するテーパ部を形成したことで、補強部材の長手方向に粘弾性ダンパーを引っ張る外力が第１のダンパー連結具や第２のダンパー連結具を介して板状剛性部材に作用しても粘弾性体が板状剛性部材の厚板部と接触することがないので、厚板部との接触によって粘弾性体が損傷することを防止することができる。
【００１４】
請求項４の発明に係る戸建住宅用制振装置によると、連結溝の長手方向に沿って連結溝の底面中央部に形成されたピン係合凹部と該ピン係合凹部に対向して連結部に形成されたピン係合溝との間にガタツキ防止ピンを圧入して連結部を連結溝の底面から離間する方向に押圧したことで、連結部が連結溝の深さ方向や幅方向にがたつくことがなく、これにより、粘弾性ダンパーの粘弾性体に振動エネルギーが効率よく伝わるため、戸建住宅の架構に作用する地震力や強風力を効果的に吸収して戸建住宅の揺れを抑えることができる。
【図面の簡単な説明】
【００１５】
【図１】本発明の第１の実施形態に係る戸建住宅用制振装置を示す正面図である。
【図２】図１のＡ−Ａ断面を示す図である。
【図３】図１のＢ−Ｂ断面を示す図である。
【図４】図２に示す戸建住宅用制振装置の一部を示す図である。
【図５】図３に示す戸建住宅用制振装置の一部を示す図である。
【図６】図１のＣ−Ｃ断面を示す図である。
【図７】図１のＤ−Ｄ断面を示す図である。
【図８】図１のＥ−Ｅ断面を示す図である。
【図９】図１のＦ−Ｆ断面を示す図である。
【図１０】従来の戸建住宅用制振装置の一例を示す正面図である。
【図１１】従来の戸建住宅用制振装置の一例を示す側面図である。
【発明を実施するための形態】
【００１６】
以下、図面を参照して本発明の実施形態について説明する。
図１〜図９は本発明の第１の実施形態を示す図であり、図１に示すように、第１の実施形態に係る戸建住宅用制振装置は粘弾性ダンパー１５、第１のダンパー連結具１８及び第２のダンパー連結具１９を備えている。
粘弾性ダンパー１５は戸建住宅の土台１１上に立設された柱１２と柱１３との間に戸建住宅の架構を補強する補強部材１６，１７を介して架設されるものであって、図２及び図３に示すように、プレート状に成形された粘弾性体２０ａ，２０ｂ，２０ｃ，２０ｄと板状剛性部材２１ａ，２１ｂ，２１ｃ，２１ｄ，２１ｅとを交互に重合すると共に重合する表面同士を接着して形成されている。
【００１７】
第１のダンパー連結具１８は粘弾性ダンパー１５の両端部のうち一方の端部を柱１２と土台１１の上方に横架された横架材１４との接合部近傍から斜め下方に延出する補強部材１６の端部に連結するものであって、アルミニウムまたはアルミニウム合金を押出成形して形成されている。また、第１のダンパー連結具１８はプレート部１８１，１８２（図２参照）を有し、これらのプレート部１８１，１８２は片面同士を対向させて第１のダンパー連結具１８に形成されている。
【００１８】
第２のダンパー連結具１９は粘弾性ダンパー１５の両端部のうち他方の端部を柱１３と土台１１との接合部近傍から斜め上方に延出する補強部材１７の端部に連結するものであって、第１のダンパー連結具１８と同様にアルミニウムまたはアルミニウム合金を押出成形して形成されている。また、第２のダンパー連結具１９はプレート部１９１，１９２（図３参照）を有し、これらのプレート部１９１，１９２は片面同士を対向させて第２のダンパー連結具１９に形成されている。
【００１９】
粘弾性ダンパー１５の板状剛性部材２１ａ〜２１ｅは、アルミニウムまたはアルミニウム合金をプレート状に押出成形して形成されている。また、板状剛性部材２１ａ〜２１ｅは補強部材１６，１７の長手方向に沿って矩形状に形成されていると共に、第１のダンパー連結具１８と第２のダンパー連結具１９に形成された複数の連結溝２２の一つと嵌合する連結部２１１（図２及び図３参照）を有している。この連結部２１１は板状剛性部材２１ａ〜２１ｅの一端部に形成され、板状剛性部材２１ａ〜２１ｅの両面から突出していると共に連結溝２２の深さ方向に対して左右対称に形成されている。
【００２０】
板状剛性部材２１ａ〜２１ｅは、また、厚さが２．５〜３．５ｍｍ程度の薄板部２１２（図２及び図３参照）を有し、この薄板部２１２の表面に粘弾性体２０ａ〜２０ｄの一つが接着されている。さらに、板状剛性部材２１ａ〜２１ｅは薄板部２１２より厚さが約２倍程度厚い厚板部２１３（図２及び図３参照）を有し、この厚板部２１３は連結部２１１と薄板部２１２との間に形成されている。さらにまた、板状剛性部材２１ａ〜２１ｅは粘弾性体２０ａ〜２０ｄの端面と対向するテーパ部２１４（図２及び図３参照）を有し、このテーパ部２１４は薄板部２１２と厚板部２１３との間に形成されている。
【００２１】
補強部材１６は、アルミニウムまたはアルミニウム合金を中空状に押出成形して形成されていると共に互いに対向する内側面１６１，１６２（図２参照）を有している。これらの内側面１６１，１６２は第１のダンパー連結具１８に形成されたプレート部１８１，１８２と嵌合しており、プレート部１８１，１８２は補強部材１６の外側面から打ち込まれた複数のビス４０によって補強部材１６の内側面１６１，１６２に固定されている。
【００２２】
補強部材１７は、補強部材１６と同様にアルミニウムまたはアルミニウム合金を中空状に押出成形して形成されていると共に、互いに対向する内側面１７１，１７２（図３参照）を有している。これらの内側面１７１，１７２は第２のダンパー連結具１９に形成されたプレート部１９１，１９２と嵌合しており、プレート部１９１，１９２は補強部材１７の外側面から打ち込まれた複数のビス４１によって補強部材１７の内側面１７１，１７２に固定されている。
【００２３】
土台１１は、図６〜図８に示すように、アルミニウムまたはアルミニウム合金を中空状に押出成形して形成されている。また、土台１１は上面に複数（例えば二つ）の連結溝１１１を有し、これらの連結溝１１１は土台１１の長手方向に沿って形成されていると共に土台１１の高さ方向に沿う断面が逆Ｔ字状に形成されている。さらに、土台１１は複数（例えば二つ）の補強リブ１１２を有し、これらの補強リブ１１２は連結溝１１１の真上に位置するように土台１１の内部に形成されている。
【００２４】
柱１２の下端部は、アルミニウムまたはアルミニウム合金を逆Ｔ字状に押出成形してなる固定用金具２４（図６参照）により土台１１の上面に固定されている。この固定用金具２４は柱１２の下端部に形成されたほぞ溝２５に嵌合する垂直プレート部２４１を有し、この垂直プレート部２４１に穿設されたドリフトピン挿通孔にドリフトピン２６を柱１２の外面から水平に差し込むことによって柱１２の下端部が固定用金具２４に固定されるようになっている。また、固定用金具２４は土台１１の上面に載置される水平プレート部２４２を有し、この水平プレート部２４２の下面部に形成された複数（例えば二つ）の固定用突起部２４３が土台１１の上面に形成された連結溝１１１に嵌合することによって柱１２の下端部が土台１１の上面に固定されるようになっている。
【００２５】
柱１３の下端部は、アルミニウムまたはアルミニウム合金を逆Ｔ字状に押出成形してなる固定用金具２７（図７参照）により土台１１の上面に固定されている。この固定用金具２７は柱１３の下端部に形成されたほぞ溝２８に嵌合する垂直プレート部２７１を有し、この垂直プレート部２７１に穿設されたドリフトピン挿通孔にドリフトピン２９を柱１３の外面から水平に差し込むことによって柱１３の下端部が固定用金具２７に固定されるようになっている。また、固定用金具２７は土台１１の上面に載置される水平プレート部２７２を有し、この水平プレート部２７２の下面部に形成された複数（例えば二つ）の固定用突起部２７３が土台１１の上面に形成された連結溝１１１に嵌合することによって柱１３の下端部が土台１１の上面に固定されるようになっている。
【００２６】
補強部材１６の上端部は、アルミニウムまたはアルミニウム合金をＬ字状に押出成形してなる固定用金具３０，３１（図９参照）により柱１２の側面上面と横架材１４の下面に固定されている。これらの固定用金具３０，３１のうち固定用金具３０は複数の固定用ねじ３２により補強部材１６の右側面と横架材１４の下面に固定され、固定用金具３１は複数の固定用ねじ３３により補強部材１６の左側面と柱１２の側面上部に固定されている。
【００２７】
一方、補強部材１７の下端部は、図８に示すように、固定用金具２７の垂直プレート部２７１に穿設された複数のボルト挿通孔にボルト３４を補強部材１７の内側から挿入し、ボルト３４をナット３５で締め付けることによって固定用金具２７の垂直プレート部２７１に固定されている。
連結溝２２の底面中央部には、ピン係合凹部３７（図４及び図５）が連結溝２２の長手方向に沿って形成されている。このピン係合凹部３７は板状剛性部材２１ａ〜２１ｅの連結部２１１に形成されたピン係合溝３６と対向しており、板状剛性部材２１ａ〜２１ｅの連結部２１１はピン係合溝３６とピン係合凹部３７との間に連結溝２２の両端側から圧入された二本のガタツキ防止ピン３８によって連結溝２２の底面から離間する方向に押圧されている。
【００２８】
上述した第１の実施形態では、板状剛性部材２１ａ〜２１ｅの連結部２１１を板状剛性部材２１ａ〜２１ｅの両面から突出するように連結溝２２の深さ方向に対して左右対称に形成したことで、補強部材１６，１７の長手方向に粘弾性ダンパー１５を圧縮する外力が第１のダンパー連結具１８や第２のダンパー連結具１９を介して連結部２１１に作用しても板状剛性部材２１ａ〜２１ｅが弓形に変形し難くなる。これにより、板状剛性部材２１ａ〜２１ｅが弓形に変形することによって粘弾性ダンパー１５の振動吸収能力が低下することを防止できるので、戸建住宅の架構に作用する地震力や強風力を効果的に吸収して大きな制振能力を得ることができる。
【００２９】
また、板状剛性部材２１ａ〜２１ｅの連結部２１１を連結溝２２の深さ方向に対して左右対称に形成したことで、補強部材１６，１７に作用する圧縮方向の地震力や強風力が第１のダンパー連結具１８や第２のダンパー連結具１９を介して板状剛性部材２１ａ〜２１ｅの連結部２１１に左右均等に作用し、これにより、板状剛性部材２１ａ〜２１ｅが面外方向に変形し難くなるので、板状剛性部材２１ａ〜２１ｅが面外方向に変形することによって粘弾性ダンパー１５の振動吸収能力が低下することを防止することができる。
【００３０】
また、板状剛性部材２１ａ〜２１ｅの連結部２１１と薄板部２１２との間に薄板部２１２より厚さの厚い厚板部２１３を形成したことで、補強部材１６，１７の長手方向に粘弾性ダンパー１５を圧縮する外力が第１のダンパー連結具１８や第２のダンパー連結具１９を介して連結部２１１に作用しても板状剛性部材２１ａ〜２１ｅが弓形により変形し難くなるので、戸建住宅の架構に作用する地震力や強風力を効果的に吸収してより大きな制振能力を得ることができる。
【００３１】
また、連結部２１１と薄板部２１２との間に形成された厚板部２１３によって板状剛性部材２１ａ〜２１ｅの剛性が増大し、これにより、粘弾性ダンパー１５を補強部材１６，１７の長手方向に圧縮する方向の地震力や強風力が補強部材１６，１７を介して第１のダンパー連結具１８や第２のダンパー連結具１９に加わっても板状剛性部材２１ａ〜２１ｅが面外方向に変形し難くなるため、戸建住宅の架構に作用する地震力や強風力を効果的に吸収してより大きな制振能力を得ることができる。
【００３２】
また、板状剛性部材２１ａ〜２１ｅの薄板部２１２との厚板部２１３との間に粘弾性体２０ａ〜２０ｄの端面と対向するテーパ部２１４を形成したことで、補強部材１６，１７の長手方向に粘弾性ダンパー１５を引っ張る外力が第１のダンパー連結具１８や第２のダンパー連結具１９を介して板状剛性部材２１ａ〜２１ｅに作用しても粘弾性体２０ａ〜２０ｄが板状剛性部材２１ａ〜２１ｅの厚板部２１３と接触することがないので、厚板部２１３との接触によって粘弾性体２０ａ〜２０ｄが損傷することを防止することができる。
【００３３】
また、連結溝２２の長手方向に沿って連結溝２２の底面中央部に形成されたピン係合凹部３７とピン係合凹部３７に対向して連結部２１１に形成されたピン係合溝３６との間にガタツキ防止ピン３８を圧入して連結部２１１を連結溝２２の底面から離間する方向に押圧したことで、連結部２１１が連結溝２２の深さ方向や幅方向にがたつくことがなく、これにより、粘弾性ダンパー１５の粘弾性体２０ａ〜２０ｄに振動エネルギーが効率よく伝わるため、戸建住宅の架構に作用する地震力や強風力を効果的に吸収して戸建住宅の揺れを抑えることができる。
【００３４】
なお、上述した第１の実施形態では、戸建住宅の架構を補強する補強部材としてアルミニウムまたはアルミニウム合金を中空状に押出成形して形成されたものを例示したが、これに限られるものではなく、戸建住宅の架構を補強する補強部材は例えば木材から形成されていてもよい。
また、戸建住宅の土台としてアルミニウムまたはアルミニウム合金を中空状に押出成形して形成されたものを例示したが、これに限られるものではなく、土台は例えば木材から形成されていてもよい。
【符号の説明】
【００３５】
１１…土台、１２，１３…柱、１４…横架材、１５…粘弾性ダンパー、１６，１７…補強部材、１８…第１のダンパー連結具、１９…第２のダンパー連結具、２０ａ，２０ｂ，２０ｃ，２０ｄ…粘弾性体、２１ａ，２１ｂ，２１ｃ，２１ｄ，２１ｅ…板状剛性部材、２１１…板状剛性部材の連結部、２１２…板状剛性部材の薄板部、２１３…板状剛性部材の厚板部、２１４…板状剛性部材のテーパ部、２２…連結溝、２４，２７，３０，３１…固定用金具、２６，２９…ドリフトピン、３６…ピン係合溝、３７…ピン係合凹部、３８…ガタツキ防止ピン。
【図１】
2011038312.tif 000003
【図２】
2011038312.tif 000004
【図３】
2011038312.tif 000005
【図４】
2011038312.tif 000006
【図５】
2011038312.tif 000007
【図６】
2011038312.tif 000008
【図７】
2011038312.tif 000009
【図８】
2011038312.tif 000010
【図９】
2011038312.tif 000011
【図１０】
2011038312.tif 000012
【図１１】
2011038312.tif 000013